【手続補正書】
【提出日】平成29年11月30日(2017.11.30)
【手続補正１】
【補正対象書類名】特許請求の範囲
【補正対象項目名】全文
【補正方法】変更
【補正の内容】
【特許請求の範囲】
【請求項１】
蒸気圧縮式の冷凍サイクル装置（１０）に適用されるエジェクタであって、
液相冷媒を流入させる流入空間（３０ａ）、前記流入空間から流出した冷媒を減圧させる減圧用空間（３０ｂ）、前記減圧用空間の冷媒流れ下流側に連通して冷媒吸引口（３１ｂ）から吸引した冷媒を流通させる吸引用通路（１３ｂ）、および前記減圧用空間から噴射された噴射冷媒と前記吸引用通路を介して吸引された吸引冷媒とを流入させる昇圧用空間（３０ｅ）が形成されたボデー（３０）と、
少なくとも一部が前記減圧用空間の内部に配置されて、前記ボデーとの間に冷媒通路を形成する通路形成部材（３５）と、
前記通路形成部材を変位させる駆動機構（３７）と、を備え、
前記ボデーのうち前記減圧用空間を形成する部位の内周面と前記通路形成部材の外周面との間に形成される冷媒通路は、冷媒を減圧させて噴射するノズルとして機能するノズル通路（１３ａ）であり、
前記通路形成部材には、前記流入空間側へ延びて前記ボデーに摺動可能に支持された上流側作動棒（３５１ａ）が連結されており、
前記流入空間の中心軸、前記上流側作動棒の中心軸、および前記通路形成部材の中心軸（ＣＬ）は、同軸上に配置されており、
前記通路形成部材は、少なくとも一部が前記昇圧用空間の内部に配置されており、
前記ボデーのうち前記昇圧用空間を形成する部位の内周面と前記通路形成部材の外周面との間に形成される冷媒通路は、前記噴射冷媒および前記吸引冷媒を混合させて昇圧させる昇圧部として機能するディフューザ通路（１３ｃ）であり、
前記流入空間の中心軸方向から見たときに、前記吸引用通路の吸引冷媒出口（１３ｆ）は前記ノズル通路の冷媒噴射口（１３ｅ）の外周側に環状に開口しており、
前記ボデーのうち前記昇圧用空間を形成する部位の内周面と前記通路形成部材の外周面との間に形成される冷媒通路であって、前記ディフューザ通路の冷媒流れ上流側には、前記噴射冷媒と前記吸引冷媒とを混合させる混合通路（１３ｄ）が形成されており、
前記混合通路の最小通路断面積は、前記冷媒噴射口の通路断面積および前記吸引冷媒出口の通路断面積の合計値よりも小さく形成されているエジェクタ。
【請求項２】
前記通路形成部材には、前記ディフューザ通路の下流側へ向かって延びて前記ボデーに摺動可能に支持された下流側作動棒（３５１ｂ）が連結されている請求項１に記載のエジェクタ。
【請求項３】
前記上流側作動棒の中心軸と前記下流側作動棒の中心軸は、同軸上に配置されている請求項２に記載のエジェクタ。
【請求項４】
前記駆動機構は、前記上流側作動棒および前記下流側作動棒の少なくとも一方に連結されている請求項２または３に記載のエジェクタ。
【請求項５】
前記ボデーのうち前記混合通路を形成する壁面が前記中心軸を含む断面に描く線は、冷媒流れ下流側に向かって前記通路形成部材側に近づくように傾斜している請求項１ないし４のいずれか１つに記載のエジェクタ。
【請求項６】
前記通路形成部材のうち前記混合通路を形成する壁面が前記中心軸を含む断面に描く線は、冷媒流れ下流側に向かって前記ボデー側に近づくように傾斜している請求項１ないし５のいずれか１つに記載のエジェクタ。
【請求項７】
蒸気圧縮式の冷凍サイクル装置（１０）に適用されるエジェクタであって、
液相冷媒を流入させる流入空間（３０ａ）、前記流入空間から流出した冷媒を減圧させる減圧用空間（３０ｂ）、前記減圧用空間の冷媒流れ下流側に連通して冷媒吸引口（３１ｂ）から吸引した冷媒を流通させる吸引用通路（１３ｂ）、および前記減圧用空間から噴射された噴射冷媒と前記吸引用通路を介して吸引された吸引冷媒とを流入させる昇圧用空間（３０ｅ）が形成されたボデー（３０）と、
少なくとも一部が前記減圧用空間の内部に配置されて、前記ボデーとの間に冷媒通路を形成する通路形成部材（３５）と、
前記通路形成部材を変位させる駆動機構（３７）と、を備え、
前記ボデーのうち前記減圧用空間を形成する部位の内周面と前記通路形成部材の外周面との間に形成される冷媒通路は、冷媒を減圧させて噴射するノズルとして機能するノズル通路（１３ａ）であり、
前記通路形成部材には、前記流入空間側へ延びて前記ボデーに摺動可能に支持された上流側作動棒（３５１ａ）が連結されており、
前記流入空間の中心軸、前記上流側作動棒の中心軸、および前記通路形成部材の中心軸（ＣＬ）は、同軸上に配置されており、
前記通路形成部材は、冷媒流れ上流側から下流側へ向かって中心軸に垂直な断面積が拡大した後に縮小する形状に形成されており、
前記ボデーのうち前記減圧用空間を形成する部位には、前記ノズル通路に通路断面積を最も縮小させる最小通路面積部（３０ｍ）が形成されており、
前記通路形成部材の最大外径部（３０ｎ）は、前記最小通路面積部よりも冷媒流れ上流側に配置されているエジェクタ。
【請求項８】
前記ノズル通路の下流側には、前記噴射冷媒と前記吸引冷媒とを混合させる混合通路（１３ｄ）が形成されており、
前記混合通路の最小通路断面積は、前記冷媒噴射口の通路断面積および前記吸引冷媒出口の通路断面積の合計値よりも小さく形成されている請求項７に記載のエジェクタ。
【請求項９】
前記通路形成部材には、前記ノズル通路の通路断面積を拡大させる側に凹んだ凹み部（３５ａ、３５ｂ）が形成されている請求項１ないし８のいずれか１つに記載のエジェクタ。
【請求項１０】
蒸気圧縮式の冷凍サイクル装置（１０）に適用されるエジェクタであって、
液相冷媒を流入させる流入空間（３０ａ）、前記流入空間から流出した冷媒を減圧させる減圧用空間（３０ｂ）、前記減圧用空間の冷媒流れ下流側に連通して冷媒吸引口（３１ｂ）から吸引した冷媒を流通させる吸引用通路（１３ｂ）、および前記減圧用空間から噴射された噴射冷媒と前記吸引用通路を介して吸引された吸引冷媒とを流入させる昇圧用空間（３０ｅ）が形成されたボデー（３０）と、
少なくとも一部が前記減圧用空間の内部に配置されて、前記ボデーとの間に冷媒通路を形成する通路形成部材（３５）と、
前記通路形成部材を変位させる駆動機構（３７）と、を備え、
前記ボデーのうち前記減圧用空間を形成する部位の内周面と前記通路形成部材の外周面との間に形成される冷媒通路は、冷媒を減圧させて噴射するノズルとして機能するノズル通路（１３ａ）であり、
前記通路形成部材には、前記流入空間側へ延びて前記ボデーに摺動可能に支持された上流側作動棒（３５１ａ）が連結されており、
前記流入空間の中心軸、前記上流側作動棒の中心軸、および前記通路形成部材の中心軸（ＣＬ）は、同軸上に配置されており、
前記通路形成部材には、前記ノズル通路の通路断面積を拡大させる側に凹んだ凹み部（３５ａ、３５ｂ）が形成されているエジェクタ。
【請求項１１】
前記凹み部は、前記通路形成部材の円錐状側面を貫通する貫通穴（３５ａ）である請求項９または１０に記載のエジェクタ。
【請求項１２】
前記凹み部は、前記通路形成部材の中心軸周りの全周に亘って形成された溝部（３５ｂ）である請求項９または１０に記載のエジェクタ。
【請求項１３】
前記通路形成部材のうち前記ノズル通路を形成する壁面が前記中心軸を含む断面に描く線は、前記ノズル通路側に尖った形状を含んでいる請求項１ないし１２のいずれか１つに記載のエジェクタ。
【請求項１４】
前記ボデーには、冷媒流入口（３１ａ）から流入した冷媒を前記流入空間へ導く冷媒流入通路（３１ｅ）が形成されており、
前記流入空間の中心軸方向から見たときに、前記冷媒流入通路は前記流入空間へ流入する冷媒を前記中心軸に向かって流入させる形状に形成されている請求項１ないし１３のいずれか１つに記載にエジェクタ。
【手続補正２】
【補正対象書類名】明細書
【補正対象項目名】００１６
【補正方法】変更
【補正の内容】
【００１６】
上記目的を達成するため、請求項１に記載の発明は、蒸気圧縮式の冷凍サイクル装置（１０）に適用されるエジェクタであって、
液相冷媒を流入させる流入空間（３０ａ）、流入空間から流出した冷媒を減圧させる減圧用空間（３０ｂ）、減圧用空間の冷媒流れ下流側に連通して冷媒吸引口（３１ｂ）から吸引した冷媒を流通させる吸引用通路（１３ｂ）、および減圧用空間から噴射された噴射冷媒と吸引用通路を介して吸引された吸引冷媒とを流入させる昇圧用空間（３０ｅ）が形成されたボデー（３０）と、少なくとも一部が減圧用空間の内部に配置されて、ボデーとの間に冷媒通路を形成する通路形成部材（３５）と、通路形成部材を変位させる駆動機構（３７）と、を備え、
ボデーのうち減圧用空間を形成する部位の内周面と通路形成部材の外周面との間に形成される冷媒通路は、冷媒を減圧させて噴射するノズルとして機能するノズル通路（１３ａ）であり、
通路形成部材には、流入空間側へ延びてボデーに摺動可能に支持された上流側作動棒（３５１ａ）が連結されており、
流入空間の中心軸、上流側作動棒の中心軸、および通路形成部材の中心軸（ＣＬ）は、同軸上に配置されており、
通路形成部材は、少なくとも一部が昇圧用空間の内部に配置されており、ボデーのうち昇圧用空間を形成する部位の内周面と通路形成部材の外周面との間に形成される冷媒通路は、噴射冷媒および吸引冷媒を混合させて昇圧させる昇圧部として機能するディフューザ通路（１３ｃ）であり、
流入空間の中心軸方向から見たときに、吸引用通路の吸引冷媒出口（１３ｆ）はノズル通路の冷媒噴射口（１３ｅ）の外周側に環状に開口しており、
ボデーのうち昇圧用空間を形成する部位の内周面と通路形成部材の外周面との間に形成される冷媒通路であって、ディフューザ通路の冷媒流れ上流側には、噴射冷媒と吸引冷媒とを混合させる混合通路（１３ｄ）が形成されており、混合通路の最小通路断面積は、冷媒噴射口の通路断面積および前記吸引冷媒出口の通路断面積の合計値よりも小さく形成されているエジェクタである。
【手続補正３】
【補正対象書類名】明細書
【補正対象項目名】００２２
【補正方法】変更
【補正の内容】
【００２２】
さらに、通路形成部材は、少なくとも一部が昇圧用空間の内部に配置されており、ボデーのうち昇圧用空間を形成する部位の内周面と通路形成部材の外周面との間に形成される冷媒通路は、噴射冷媒および吸引冷媒を混合させて昇圧させる昇圧部として機能するディフューザ通路（１３ｃ）である。
【手続補正４】
【補正対象書類名】明細書
【補正対象項目名】００２３
【補正方法】変更
【補正の内容】
【００２３】
これによれば、適用された冷凍サイクル装置（１０）の負荷変動に応じて、ディフューザ通路（１３ｃ）の通路断面積を調整することができる。従って、適用された冷凍サイクル装置（１０）の負荷変動によらず、より一層、安定的に高いエネルギ変換効率を発揮させることができる。
また、請求項７に記載の発明は、蒸気圧縮式の冷凍サイクル装置（１０）に適用されるエジェクタであって、
液相冷媒を流入させる流入空間（３０ａ）、流入空間から流出した冷媒を減圧させる減圧用空間（３０ｂ）、減圧用空間の冷媒流れ下流側に連通して冷媒吸引口（３１ｂ）から吸引した冷媒を流通させる吸引用通路（１３ｂ）、および減圧用空間から噴射された噴射冷媒と吸引用通路を介して吸引された吸引冷媒とを流入させる昇圧用空間（３０ｅ）が形成されたボデー（３０）と、少なくとも一部が減圧用空間の内部に配置されて、ボデーとの間に冷媒通路を形成する通路形成部材（３５）と、通路形成部材を変位させる駆動機構（３７）と、を備え、
ボデーのうち減圧用空間を形成する部位の内周面と通路形成部材の外周面との間に形成される冷媒通路は、冷媒を減圧させて噴射するノズルとして機能するノズル通路（１３ａ）であり、
通路形成部材には、流入空間側へ延びてボデーに摺動可能に支持された上流側作動棒（３５１ａ）が連結されており、
流入空間の中心軸、上流側作動棒の中心軸、および通路形成部材の中心軸（ＣＬ）は、同軸上に配置されており、
通路形成部材は、冷媒流れ上流側から下流側へ向かって中心軸に垂直な断面積が拡大した後に縮小する形状に形成されており、ボデーのうち減圧用空間を形成する部位には、ノズル通路に通路断面積を最も縮小させる最小通路面積部（３０ｍ）が形成されており、通路形成部材の最大外径部（３０ｎ）は、最小通路面積部よりも冷媒流れ上流側に配置されているエジェクタである。
これによれば、請求項１に記載の発明と同様の効果を得ることができる。
また、請求項１０に記載の発明は、蒸気圧縮式の冷凍サイクル装置（１０）に適用されるエジェクタであって、
液相冷媒を流入させる流入空間（３０ａ）、流入空間から流出した冷媒を減圧させる減圧用空間（３０ｂ）、減圧用空間の冷媒流れ下流側に連通して冷媒吸引口（３１ｂ）から吸引した冷媒を流通させる吸引用通路（１３ｂ）、および減圧用空間から噴射された噴射冷媒と吸引用通路を介して吸引された吸引冷媒とを流入させる昇圧用空間（３０ｅ）が形成されたボデー（３０）と、少なくとも一部が減圧用空間の内部に配置されて、ボデーとの間に冷媒通路を形成する通路形成部材（３５）と、通路形成部材を変位させる駆動機構（３７）と、を備え、
ボデーのうち減圧用空間を形成する部位の内周面と通路形成部材の外周面との間に形成される冷媒通路は、冷媒を減圧させて噴射するノズルとして機能するノズル通路（１３ａ）であり、
通路形成部材には、流入空間側へ延びてボデーに摺動可能に支持された上流側作動棒（３５１ａ）が連結されており、
流入空間の中心軸、上流側作動棒の中心軸、および通路形成部材の中心軸（ＣＬ）は、同軸上に配置されており、
通路形成部材には、ノズル通路の通路断面積を拡大させる側に凹んだ凹み部（３５ａ、３５ｂ）が形成されているエジェクタである。
これによれば、請求項１に記載の発明と同様の効果を得ることができる。